(57)【要約】      （修正有）【課題】使い勝手に優れた多言語対応の拡声器を安価に提供する。【解決手段】多言語アナウンス拡声器１は、スピーカー部１１と無線通信部とを備えた拡声器本体１０と、複数のアナウンスメッセージを表示して、拡声出力すべきアナウンスメッセージの言語の選択を受付ける表示部スイッチを表示する表示部２３と、表示部スイッチで選択された言語のアナウンスメッセージの音声信号を拡声器本体１０に無線送信する無線式コントローラー２０とで構成されており、拡声器本体１０は、無線式コントローラー２０を着脱自在に装着するコントローラー保持手段１９を備えた構造にしている。【選択図】図１
0003222074.tif 000002
【実用新案登録請求の範囲】
【請求項１】
防災、イベント、団体旅行、介護等のアナウンスメッセージを複数種類の言語で拡声出力するアナウンス用多言語拡声器であって、スピーカー部と無線通信部とを備えた拡声器本体と、アナウンスメッセージを表示して、拡声出力すべきアナウンスメッセージの言語の選択を受付ける表示部スイッチを表示する表示部と、表示部スイッチで選択された言語のアナウンスメッセージに対応した音声信号を前記拡声器本体に無線送信する無線式コントローラーとで構成され、前記拡声器本体は、前記無線式コントローラーを着脱自在に装着するコントローラー保持手段を備えた構造にしていることを特徴とするアナウンス用多言語拡声器。
【請求項２】
前記無線式コントローラーは、前記選択されたアナウンスメッセージに対応する複数種類の言語の音声信号を、順番に切り替えながら前記拡声器本体に無線送信して、前記拡声器本体から出力することを特徴とする請求項１に記載のアナウンス用多言語拡声器。
【請求項３】
前記無線式コントローラーは、マイクを通じて入力した音声信号を録音して前記拡声器本体から出力すべきアナウンスメッセージを追加登録する機能を備えている請求項１乃至２のいずれかに一項に記載のアナウンス用多言語拡声器。
【請求項４】
前記無線式コントローラーは、複数のアナウンスメッセージをリスト表示して拡声出力すべきアナウンスメッセージの選択を受付けるためのアプリケーションプログラムがインストールされたスマートフォンであることを特徴とする請求項１乃至３のいずれか一項に記載のアナウンス用多言語拡声器。
【請求項５】
前記無線式コントローラーは、ブルートゥースの規格に基づいて、前記拡声器本体との通信を行うことを特徴とする請求項１乃至４のいずれか一項に記載のアナウンス用多言語拡声器。
【考案の詳細な説明】
【技術分野】
【０００１】
本考案は、災害等の状況において、係員等が注意喚起や避難等の報知、誘導を的確に行うために、予め準備された複数種類の言語で登録しているアナウンスメッセージを選択して拡声出力できるアナウンス用多言語拡声器に関する。
【背景技術】
【０００２】
前記のような多言語拡声器の従来例として、次の特許文献には、メッセージに対応する多言語の音声信号を蓄積し、表示部、選択手段によって選択されたメッセージを多言語で拡声出力する多言語再生装置が記載されている。
【先行技術文献】
【特許文献】
【０００３】
【特許文献１】特開2018-036983号公報
【考案の概要】
【考案が解決しようとする課題】
【０００４】
しかしながら、前記特許文献に記載されている多言語再生装置では、装置自身にメッセージを選択するための表示部や選択手段、更に多言語の音声信号を蓄積する記憶手段等を設ける必要があるので、次のような問題があった。
1）  装置が高価で複雑になってしまう。
2）  拡声能力を大きくしたい時、拡声装置とコントローラーが一体化しているため拡声能力が制限される。
3）  拡声器本体のマイクを使用している時、本体から離れた箇所からコントローラーの遠隔操作ができない。
4）  選択画面では日本語を操作して、外国語アナウンスをすることしかできない。
これに対して本考案の目的は、次のようなものである。
１）高機能で使い勝手に優れた多言語対応の拡声器を安価に提供できる。
２）コントローラーに拡声器本体と分離して交換できるようにすることで、拡声出力の向上や拡声場所を
自由に変更することができる。
3）イベントや災害時など混雑時に、拡声器本体を使用して日本語のアナウンスメッセージを拡声中に、
拡声器本体から離れた場所から、別の操作担当者が外国語のアナウンスメッセージを選択して、割込んで、外国語のアナウンスメッセージを出力することができ、混雑時の雑踏警備に的確なアナウンスを全員に提供することができる（別言語のアナウンスメッセージ割込み機能）。
4）選択画面で日本語を選択操作して外国語でアナウンスすることに加え、逆に外国語を選択操作して日本語でアナウンスすることもできる。
【課題を解決するための手段】
【０００５】
本考案による多言語拡声器は、防災、イベント、団体旅行、介護等のアナウンスメッセージを複数種類の言語で拡声出力するアナウンス用多言語拡声器であって、スピーカー部と無線通信部とを備えた拡声器本体と、複数のアナウンスメッセージを表示して、拡声出力すべきアナウンスメッセージの言語の選択を受付ける表示部スイッチを表示する表示部と、表示部スイッチで選択された言語のアナウンスメッセージに対応した音声信号を前記拡声器本体に無線送信する無線式コントローラーとで構成され、前記拡声器本体は、前記無線式コントローラーを着脱自在に装着するコントローラー保持手段を備えた構造にしている。
また、日本語を含む多言語のアナウンスメッセージは、無線式コントローラーに蓄積しているので、インターネットが使用できない環境でも、アナウンスメッセージを選択して多言語で出力することができる。
更に、また、前記無線式コントローラーは、大量のアナウンスメッセージを蓄積しているが、使用頻度の高いアナウンスを、コントローラー内の別画面に設定（プリセット）する構成にできる（プリセット機能）。
【０００６】
前記無線式コントローラーは、前記選択されたアナウンスメッセージに対応した音声信号を複数の言語用語で切り替えながら順番に無線送信してもよい。
この構成によれば、表示部スイッチでアナウンスメッセージと言語を選択操作すると、選択したアナウンスメッセージを複数の言語に順番に切替えて出力できる。
例えば、表示部スイッチで日本人が、日本語のアナウンスメッセージを選択操作すると、翻訳した外国語のアナウンスメッセージが拡声器本体より、順番に言語を自動的に切替えて出力できる。
また逆に、外国人が外国語のアナウンスメッセージを選択操作すると、外国語を翻訳した日本語のアナウンスメッセージが拡声器本体より出力できる。
【０００７】
前記無線式コントローラーは、マイクを通じて入力した音声信号を録音してアナウンスメッセージとして追加登録する機能を備えてもよい。
【０００８】
前記無線式コントローラーは、複数のアナウンスメッセージをリスト表示して拡声出力すべきアナウンスメッセージの選択を受付けるためのアプリケーションプログラムがインストールされたスマートフォンであってもよい。
【０００９】
前記無線式コントローラーは、ブルートゥース（登録商標）の規格に基づいて前記拡声器本体との通信を行ってもよい。
また、前記無線式コントローラーの通信障害が起きた時は、コントローラーと拡声機を有線接続するようにしてもよい。
【考案の効果】
【００１０】
本考案は、拡声器本体に対して無線式コントローラーを着脱自在に装着する構成としている。そのため無線式コントローラー側に機能を集中して組み込み、拡声器本体の構造、機能を簡易化することが可能であり、製造コストが軽減できる。
更に、無線式コントローラーとしてスマートフォンを用いることができるので、安価に提供できるだけでなく、拡声器本体から取外して、アプリケーションプログラムによって使い勝手も優れたものにできる。
また、このようなアナウンス用多拡声器を用いれば、防災、イベント、団体旅行、集合研修、介護等においてアナウンスに不慣れな者でも、現場の状況を見ながら、外国人を相手にした正確な音声アナウンスができる。
同様に介護等、外国人労働者が母国語の用語選択画面を操作して、日本人に対して、日本語の音声アナウンスをすることができ、外国人から日本人への意志の伝達及び、日本語の学習にも非常に有益である。
また、無線式コントローラーとしてスマートフォンから拡声器本体に出力されるアナウンスメッセージは、音声合成を用いず、人の肉声を録音したものを使用すれば、抑揚や感情を移入して、切迫した状況を的確に伝えることができ、災害情報の伝達には特に有益である。
【図面の簡単な説明】
【００１１】
【図１】本考案の実施形態の一例の斜視図である。
【図２】（ａ）、（ｂ）はそれぞれ拡声器本体及び無線式コントローラーの回路ブロック図である。
【図３】（ａ）、（ｂ）はスマートフォンで構成されたコントローラーにおける操作画面の例である。
【図４】スマートフォンで構成されたコントローラーにおける操作画面の他例である。
【図５】（ａ）、（ｂ）はスマートフォンで構成されたコントローラーにおける操作画面の例である。
【図６】（ａ）、（ｂ）はスマートフォンで構成されたコントローラーにおける操作画面の他例である。
【図７】はスマートフォンで構成されたコントローラーにおける操作画面の更に他例である。
【考案を実施するための形態】
【００１２】
図１（ａ）、（ｂ）は本考案の実施形態の一例の斜視図、及び位置調節可能な保持爪の一例の斜視図である。また図２（ａ）、（ｂ）はそれぞれ拡声器本体及び無線式コントローラーの回路ブロック図である。
【００１３】
本考案によるアナウンス用多言語拡声器１は、拡声器本体１０と、その拡声器本体１０に着脱可能に装着できる無線式コントローラー２０とで構成されている。
【００１４】
図１（ａ）に示すように、拡声器本体１０は従来の拡声器に類似したホーン形状になっている。すなわち底面を開口部とする円錐上のホーン１１ａを備えたスピーカー部１１と、そのホーン１１ａの頂点部下側面から突出したハンドル部１２とで形成された基本形状を有する。スピーカー部１１は、樹脂等からなる折返し式のホーン１１ａを有しており、ホーンドライバー（図示なし）は頂点部に内蔵されている。頂点部には更にマイク孔１８ａも形成されている。またハンドル部１２には、銃爪式の操作部１３が設けられている。
【００１５】
本考案における形状的な特徴は、スピーカー部１１の上側面にコントローラー２０を着脱自在に保持するコントローラー保持手段１９を備えている点である。コントローラー保持手段１９は、コントローラー２０を安定して保持できればよく、具体的な構成は特に制限されない。この例では、コントローラー２０に対応させて複数の保持爪１９ａを設け、更にコントローラー２０の裏面が当接する部分にマジックテープ（登録商標）１９ｂを配置した構成としている。
【００１６】
保持爪１９ａは、サイズが異なる複数種別のコントローラーに対応できるように位置調節可能（可動方向を矢印に示す）にしてもよい。具体的には図１（ｂ）に示すように、保持爪１９ａの基部に長孔１９ｃを形成するなどして、固定ネジ１９ｄの締付け位置によって、保持爪１９ａの位置をスライド調節可能にしてもよい。
【００１７】
拡声器本体１０は、基本的な回路ブロックとして、スピーカー部１１と、無線通信部１４と、復号回路１５と、増幅回路１６と、電源部１７とを備えている。
無線通信部１４はアンテナ１４aを有しており、コントローラー２０との間で無線通信を行って、アナウンスメッセージの音声信号を受信するブロックである。無線通信の方式は特に制限されないが、簡単に利用できるブルートゥース（登録商標）の規格等が好ましい。
復号回路１５は、音声信号をデジタル式からアナログ式に変換するブロックである。
増幅回路１６は、アナログ化された音声信号を増幅してスピーカー部１１から拡声出力させるブロックである。増幅回路１６には、操作部１３、マイク１８が接続されており、増幅回路１６への入力として、復号回路１５から伝送されてくる音声信号と、マイク１８が集音した音声信号とのいずれか一方を、操作部１３の操作によって切換するように構成されている。電源部１７は、市販の電池等を利用するようになっている。
【００１８】
なお拡声器本体１０は、コントローラー２０を取り付けた状態であっても、外した状態であっても、コントローラー２０の操作によってアナウンスメッセージを拡声出力できるようになっている。また拡声器本体１０は、従来の拡声装置と同様の使い方が可能である。
【００１９】
コントローラー２０は、専用装置であってもよいし、市販のスマートフォンを利用してもよく、コントローラー保持手段１９によって保持可能な形状であればよい。
コントローラー２０は、基本的な回路ブロックとして、無線通信部２１と、記憶部２２と、表示部スイッチＧ１を表示する表示部２３と、電源部２４とを備えている。
無線通信部２１はアンテナ２１ａを有しており、拡声器本体１０との間で無線通信を行って、アナウンスメッセージの音声信号を送信するブロックである。
記憶部２２は、防災、イベント、団体旅行、集合研修、介護等の複数のアナウンスジャンルにおける誘導や警告等、利用可能な複数のアナウンスメッセージを記憶しているブロックである。
ここにアナウンスメッセージの各々は、同一の意味内容に対応する複数の言語が準備されている。例えば「地震です。地震です。大きな揺れに備えてください。」という一つの意味内容に対応するアナウンスメッセージは、コントローラー２０の表示部２３に表示される文字データと、拡声器本体１０から出力される音声信号とが、複数の言語に対応して準備され、記憶している。
表示部２３は、タッチパネル等で構成され、表示部スイッチＧ１がタッチパネルの機能を用いて表示される。
表示部スイッチＧ１は、第一の言語で表示される。ここに、第一の言語は、通常はアナウンス用多言語拡声器が使用される国の言語に設定されている。つまり、日本人向けに使用される場合は日本語、英語圏で使用される場合は英語、中国語圏の場合は中国語、韓国語圏の場合は韓国語に設定される。
第一の言語は、商品の出荷段階でデフォルト設定してあってもよいが、新たな設定スイッチを設けてユーザが切換設定できるようにしてもよい。
表示部スイッチＧ１は、図例では、後述するＳＷ１〜ＳＷ５で構成されているが、機能を追加する毎に対応して設ければよい。なお、電源部２４は、一次又は二次電池等で構成されている。
【００２０】
なおコントローラー２０に別のスイッチを設けて、新たなアナウンスジャンル、アナウンス項目を作成し、そこにマイク(不図示)を通じて取り込んだ音声を録音して新たなアナウンスメッセージとして登録できるような構成にしてもよい。
【００２１】
以上のように本考案では、拡声器本体１０に対してコントローラー２０を着脱自在に装着する構成としているので、コントローラー２０側に機能を集中して組み込み、拡声器本体１０の構造、機能を簡易化することが可能であり、製造コストが軽減できる。
【００２２】
図３（ａ）、（ｂ）、図４はいずれもスマートフォンで構成されたコントローラー２０における操作画面の例であり、第一の言語として、日本語を選択した例を示している。
スマートフォンには、複数のアナウンスメッセージを表示部２３にリスト表示して、そのリストから拡声出力すべきアナウンスメッセージの選択を受付けるためのアプリケーションプログラムがインストールされており、表示部スイッチＧ１は、このアプリケーションプログラムによって表示画面に表示される。本考案では、コントローラー２０としてスマートフォンを用いることができるため、安価に提供できるだけでなく、アプリケーションプログラムによって使い勝手も優れたものにできる。
【００２３】
図３（ａ）は、アナウンスジャンル選択画面の一例である。この表示部２３には表示部スイッチＧ１が表示されている。図例では、表示部スイッチＧ１は、無線通信の接続スイッチＳＷ１、アナウンスジャンル選択スイッチＳＷ２、選択されたアナウンスジャンルに属するアナウンス項目を選択するアナウンス項目選択スイッチＳＷ３、拡声出力すべき言語の種別を選択する言語選択スイッチＳＷ４、拡声出力の制御スイッチＳＷ５で構成されているが、機能を追加するごとに機能スイッチを増大してもよい。
接続スイッチＳＷ１は、拡声器本体１０との無線通信をオン・オフするためのスイッチである。
アナウンスジャンル選択スイッチＳＷ２は、予め用意された「自然災害」、「人的災害」、「交通障害」等のアナウンスジャンルから１つを選択するスイッチである。ここで例えば、「自然災害」が選択操作されると、その「自然災害」は強調表示になり、このジャンルに属するアナウンス項目選択スイッチＳＷ３に切換表示され、予め用意されたアナウンス項目である「地震」、「津波」、「火山噴火」等が表示される。現場などの状況に応じて、いずれかのアナウンス項目が選択操作されると、選択されたアナウンス項目は強調表示になって、そのアナウンス項目に属する複数のアナウンスメッセージの一覧が、図４に示すようにリスト表示される。
【００２４】
図３の例では、「自然災害」のアナウンスジャンルが選択され、更に「地震」のアナウンス項目が選択されると、「地震」のアナウンス項目に属するアナウンスメッセージがリスト表示される。
リスト表示では、アナウンスメッセージが文字で表示される。
メッセージ選択スイッチＳＷ６のいずれかが選択操作されると、選択されたものは強調表示になって出力対象として設定され、更に言語選択スイッチＳＷ４のいずれかが選択操作されると、選択されたものは強調表示になって、出力対象として設定されたアナウンスメッセージが、選択された言語によって拡声出力される設定になる。
【００２５】
表示部スイッチＧ１は、日本語以外の言語を第一言語に設定している場合には、その言語の表示となり、言語選択スイッチＳＷ４で特定の言語を選択すると、拡声器本体１からは、その言語に対応したアナウンスメッセージが音声となって出力となる。
【００２６】
制御スイッチＳＷ５の「再生」が操作されると、スイッチＳＷ６で選択されたアナウンスメッセージが、スイッチＳＷ４で選択された種別の言語で拡声器本体１０に無線送信され、スピーカー部１１から拡声出力される。また「再生」の替わりに「繰り返し」が操作されると、スイッチＳＷ６で選択されているアナウンスメッセージが、スイッチＳＷ４による言語の種別の選択に関わらず再生される。例えば、日本語→英語→中国語→韓国語の順に言語の種別を切り替えながら繰り返し再生される。
図３（ｂ）には、制御スイッチＳＷ５によって切換表示される「スキップ」を示している。スキップは、アナウンスメッセージが選択された言語で繰り返し再生されているときに、その途中でアナウンスメッセージをスキップさせるものであり、アナウンスメッセージが拡声出力されているときに「停止」を選択すると、その拡声出力が停止される。
【００２７】
このような構成の操作画面を用意しておけば、防災、イベント、団体旅行、集合教育、介護等においてアナウンスに不慣れな者でも、現場の状況を見ながら、アナウンスメッセージや言語の種別を適宜切り替えて拡声出力させることによって、第一の言語しか理解できないものでも、第一の言語以外の別の言語で正確な音声アナウンスすることが可能になる。
【００２８】
このような構成の操作画面を用意しておけば、防災、イベント、団体旅行、集合教育、介護等においてアナウンスに不慣れな者でも、現場の状況を見ながら、アナウンスメッセージや言語の種別を適宜切り替えて拡声出力させることによって、第一の言語しか理解できないものでも、第一の言語以外の別の言語で正確な音声アナウンスすることが可能になる。
【００２９】
図５（a）、(b)は、第一言語を中国に設定した場合の表示スイッチの例を示している。
図５（ａ）は、中文で表示された、アナウンスジャンルを表示しているメニュー画面、図５（ｂ）は、アナウンスジャンルのうち，浴を選択した場合を示している。
図５の例では、中国人が中文で表示されたアナウンスメッセージを見て、日本語のアナウンスメッセージを拡声器本体から出力される。
また、図６（ａ）、（ｂ）は、第一言語を英語に設定した場合の表示スイッチの例を示している。
図６（ａ）は、中文で表示された、アナウンスジャンルを表示しているメニュー画面、図６（ｂ）は、アナウンスジャンルのうち，Ｂａｔｈを選択した場合を示している。
図６の例では、英米人が英語で表示されたアナウンスメッセージを見て、日本語のアナウンスメッセージを拡声器本体から出力される。
図７は、日本語で表示された、アナウンスジャンルを表示しているメニュー画面であり、言語選択スイッチＳＷ４は、日本語、英語、中国語、韓国語が有効になっており、拡声器本体から出力されるアナウンスメッセージは、これらの言語が順番に切替えて出力される設定を示している。
【００３０】
このような構成の操作画面を準備しておけば、防災、イベント、団体旅行、集合教育、介護等においてアナウンスメッセージに不慣れな者でも、現場の状況を見ながら、言語の種別を適宜切り替えて拡声出力させることができ、第一の言語しか理解できないものでも、第一の言語以外の別の言語で正確な音声アナウンスすることが可能になる。
【符号の説明】
【００３１】
１            アナウンス用多言語拡声器
１０          拡声器本体
１１          スピーカー部
１４          無線通信部
１９          コントローラー保持手段
１９ａ        保持爪
２０          無線式コントローラー
２３          表示部
Ｇ１          表示部スイッチ
【図１】
0003222074.tif 000003
【図２】
0003222074.tif 000004
【図３】
0003222074.tif 000005
【図４】
0003222074.tif 000006
【図５】
0003222074.tif 000007
【図６】
0003222074.tif 000008
【図７】
0003222074.tif 000009